(57)【要約】【課題】  屋外等の明るい場所でも漏油の確認ができる方法を提供する。【解決手段】  油は紫外線の照射により蛍光を発する性質がある。そこで、この蛍光と同波長の光のみを透過する光学フィルタ３を備えた眼鏡１を掛けた状態で、漏油が疑われる箇所に紫外線ランプから紫外線を点滅させて照射する。漏油が発生していた場合、紫外線ランプの点灯状態と消灯状態では、漏油から発生される蛍光分だけ照度が変化するので、これを観察することによって漏油発生の有無を確認できる。【選択図】        図２
2014167463.tif 000002
【特許請求の範囲】
【請求項１】
紫外線を照射して漏油を蛍光させることにより、油入電気機器からの漏油を確認する方法であって、蛍光波長のみ透過する光学フィルタ備えた眼鏡を利用して、紫外線照射時と非照射時に当該眼鏡を通して確認する光の見え方の違いから漏油の有無を確認することを特徴とする漏油確認方法。
【請求項２】
紫外線を照射して漏油を蛍光させることにより、油入電気機器からの漏油を確認する方法であって、蛍光波長のみ透過する光学フィルタ備えた眼鏡を利用して、紫外線の照度を変更したときに当該眼鏡を通して確認する光の見え方の違いから漏油の有無を確認することを特徴とする漏油確認方法。
【請求項３】
紫外線を照射して漏油を蛍光させることにより、油入電気機器からの漏油を確認する方法であって、蛍光波長のみ透過する光学フィルタと、前記蛍光以外の光の通過を制限する偏光フィルタを備えた眼鏡を利用して、紫外線照射時と非照射時に当該眼鏡を通して確認する光の見え方の違いから漏油の有無を確認することを特徴とする漏油確認方法。
【請求項４】
紫外線を照射して漏油を蛍光させることにより、油入電気機器からの漏油を確認する方法であって、蛍光波長のみ透過する光学フィルタと、前記蛍光以外の光の通過を制限する偏光フィルタを備えた眼鏡を利用して、紫外線の照度を変更したときに当該眼鏡を通して確認する光の見え方の違いから漏油の有無を確認することを特徴とする漏油確認方法。
【請求項５】
紫外線の照射により漏油が発する蛍光の波長のみ透過する光学フィルタをリム内に備えて構成したことを特徴とする漏油確認用眼鏡。
【請求項６】
紫外線の照射により漏油が発する蛍光の波長のみ透過する光学フィルタと、該光学フィルタに重ねられ、前記蛍光以外の光の通過を制限する偏光フィルタをリム内に備えて構成したことを特徴とする漏油確認用眼鏡。
【発明の詳細な説明】
【技術分野】
【０００１】
本発明は、油入電気機器から漏油した絶縁油に紫外線を照射して、絶縁油が発する蛍光を目視することにより、漏油の有無を確認する漏油確認方法と漏油確認用眼鏡に関する。
【背景技術】
【０００２】
従来から、変圧器等のプラント内の機器や配管に紫外線を照射して、油が発する蛍光を検知することにより、プラント内機器や配管からの漏油の有無を確認する方法は知られている（下記特許文献１参照）。
【先行技術文献】
【特許文献】
【０００３】
【特許文献１】特開平８−１２８９１６
【０００４】
前記特許文献１記載の発明は、紫外線領域から可視光領域までの波長を有する光を照射可能な光源を利用して、被検査体である機器や配管に紫外線と可視光を交互に照射する。油は紫外線の照射により蛍光を発する性質を有するので、紫外線を照射した際の画像と可視光を照射した際の画像をともに記録し、その差分を取ることによって蛍光の有無を検出し漏油を確認するのである。
【０００５】
この方法によれば、被検査体である機器等を暗室内に運搬することなく、通常照明化において漏油の検出を行うことができる。
【発明の概要】
【発明が解決しようとする課題】
【０００６】
しかし、上記の漏油検出方法の実現には、前述した機能を有する光源を始め、紫外線や可視光を照射した状態を映像として取り込むカメラや、取り込んだ映像を画像として記録する記録媒体、更には、記録した両画像の差分を取る演算装置等が必要となるので、漏油検出としてはコストがかかり過ぎ、製造事業者の導入意欲が減退する。
【０００７】
また、装置が大がかり故、可搬性に劣り、簡易、迅速な漏油検出に支障をきたすばかりか、狭く入り組んだ場所に機器や配管が設置されている場合には、漏油の蛍光状態等をカメラで撮影できないといった事態も考えられる。
【０００８】
そこで、本発明は、前述の問題点を解消すべく、簡易、迅速かつ安価に漏油の検出を行うことのできる方法を提供することを目的とする。
【課題を解決するための手段】
【０００９】
請求項１記載の発明は、蛍光波長のみ透過する光学フィルタを備えた眼鏡を利用して、紫外線の照射時と非照射時の光の見え方の違いから漏油発生の有無を確認することを特徴とする。
【００１０】
請求項２記載の発明は、蛍光波長のみ透過する光学フィルタを備えた眼鏡を利用して、紫外線の照度を変更したときの光の見え方の違いから漏油発生の有無を確認することを特徴とする。
【００１１】
請求項３記載の発明は、蛍光波長のみ透過する光学フィルタと、蛍光以外の光の通過を制限する偏光フィルタを備えた眼鏡を利用して、紫外線の照射時と非照射時の光の見え方の違いから漏油発生の有無を確認することを特徴とする。
【００１２】
請求項４記載の発明は、蛍光波長のみ透過する光学フィルタと、蛍光以外の光の通過を制限する偏光フィルタを備えた眼鏡を利用して、紫外線の照度を変更したときの光の見え方の違いから漏油発生の有無を確認することを特徴とする。
【００１３】
請求項５記載の発明は、紫外線の照射により漏油が発する蛍光の波長のみ透過する光学フィルタをリム内に備えて漏油確認用眼鏡を構成したことを特徴とする。
【００１４】
請求項６記載の発明は、紫外線の照射により漏油が発する蛍光の波長のみ透過する光学フィルタと、光学フィルタに重ねられて蛍光以外の光の通過を制限する偏光フィルムをリム内に備えて漏油確認用眼鏡を構成したことを特徴とする。
【発明の効果】
【００１５】
請求項１記載の発明によれば、光学フィルタによって、太陽光や照明光のうち紫外線を漏油に照射した際の蛍光波長以外の波長を遮断した上で、紫外線の照射と非照射を繰り返すことにより、漏油が発生していれば光の見え方が変化し、また、漏油が発生していなければ、光の見え方が変化しないことに基づき、漏油発生の有無を確認することが可能となる。
【００１６】
請求項２記載の発明によれば、光学フィルタによって、太陽光や照明光のうち紫外線を漏油に照射した際の蛍光波長以外の波長を遮断した上で、紫外線の照度を変更することによって、漏油が発生していれば光の見え方が変化し、また、漏油が発生していなければ、光の見え方が変化しないことに基づき、漏油発生の有無を確認することが可能となる。
【００１７】
請求項３記載の発明によれば、偏光フィルタによって、太陽光や照明光の眼鏡の通過を極力制限できるので、紫外線ランプの点滅時に漏油が発する蛍光の有無をより確認し易くなる。
【００１８】
請求項４記載の発明によれば、偏光フィルタによって、太陽光や照明光の眼鏡の通過を極力制限できるので、紫外線ランプの照度変更時に漏油が発する蛍光の有無をより確認し易くなる。
【００１９】
請求項５記載の発明によれば、漏油確認用眼鏡によって、安価かつ簡易に漏油の有無を確認できる。
【００２０】
請求項６記載の発明によれば、漏油確認用眼鏡によって、安価で簡易かつ確実に漏油の有無を確認できる。
【図面の簡単な説明】
【００２１】
【図１】本発明に係る漏油確認方法の実施状況を示す説明図である。
【図２】本発明の漏油確認方法に使用する光学フィルタ付眼鏡の外観斜視図である。
【図３】本発明に係る漏油確認方法に使用する光学フィルタの光の透過、反射状態を説明する模式図である。
【図４】本発明に係る漏油確認方法に使用する光学フィルタの透過光波長と透過率の関係を示すグラフである。
【図５】本発明の漏油確認方法に使用する光学フィルタ付眼鏡の他の構成を示す外観斜視図である。
【図６】本発明の漏油確認方法に使用する光学フィルタと偏光フィルタの関係を説明する模式図である。
【発明を実施するための形態】
【００２２】
以下、本発明の実施の形態について図１乃至図６を用いて説明する。図１は本発明に係る漏油確認方法の実施状況を示す説明図であり、作業者ｘは例えば、プラント内を巡回して油入電気機器（例えば、変圧器）ｙの漏油状態を確認する。
【００２３】
このとき、作業者ｘは油入電気機器ｙに紫外線を照射する紫外線ランプを携行している。紫外線ランプは、点滅機能や照度調節機能を有する市販品で良い。
【００２４】
作業者ｘが油入電気機器ｙに紫外線を照射したとき、油入電気機器ｙから漏油が発生していた場合は、漏油は紫外線が照射されることにより蛍光を発する。
【００２５】
このとき、油入電気機器ｙが室内等、周囲が一定程度暗い環境にあれば、蛍光を目視によって確認することも可能な場合もあるが、屋外などの周囲が明るい場所においては、蛍光の波長（４４０nm）が可視光（３８０〜７５０nm）の範囲内にあることにより、漏油が発する蛍光（４４０nm）の存在を目視で確認することは非常に困難である。
【００２６】
そこで、本発明は、紫外線ランプとして、点滅機能や照度調節機能を有するものを使用するとともに、蛍光の確認には図２に示す眼鏡１を使用する。図２に示す眼鏡１は、そのフレーム２のリム内に、一定の波長の光のみを透過する光学フィルタ３を取り付けて構成されている。
【００２７】
図３，図４に光学フィルタ３の性能を示す。光学フィルタ３は、可視光領域（３８０〜７５０nm）のうち、漏油が発する蛍光の波長（４４０nm）のみを透過し、その他の波長は反射する性能を有している。
【００２８】
作業者ｘが携行する紫外線ランプによって油入電気機器ｙに紫外線を照射したとき、照射位置に漏油が発生していると、漏油が蛍光を発するので、作業者ｘは蛍光および太陽光や照明光のうち蛍光と同一波長（４４０nm）の光を眼鏡1の光学フィルタ３を通して確認する。
【００２９】
次に、紫外線ランプが点滅機能によって消灯すると漏油からの蛍光がなくなるので、眼鏡１の光学フィルタ３を通過する光は太陽光や照明光のうち蛍光の同一波長の光のみとなり、漏油からの蛍光分だけ照度が低下する。
【００３０】
つまり、紫外線ランプが点滅することにより、眼鏡１を通して作業者ｘが確認する光の照度変更が繰り返されるので、このことを作業者ｘが確認することにより、油入電気機器ｙから漏油が発生している事実と、漏油発生位置を特定することが可能となる。
【００３１】
一方、油入電気機器ｙから漏油が発生していない場合は、油入電気機器ｙに紫外線を照射しても蛍光が発せられることはないので、紫外線ランプの点滅の何れの状態においても、眼鏡１の光学フィルタ３を通して確認されるのは、太陽光や照明光のうち、蛍光波長と同一波長の光のみとなり、その照度は常に一定となる。
【００３２】
このことより、作業者ｘは眼鏡１を通して確認される光の照度が常に一定の場合は、油入電気機器ｙから漏油が発生していないことを確認することができる。
【００３３】
なお、紫外線の点滅時間としては、発明者の主観によれば、１秒当たり、０.６６秒の点灯と０．３４秒の消灯を繰り返す点滅が一番蛍光を確認し易かった。
【００３４】
また、本発明の漏油確認方法は、紫外線ランプの点滅に代えて、紫外線の照度を変更することによっても実現可能である。つまり、油入電気機器ｙから漏油が発生している場合は、紫外線の照度を変更することにより、眼鏡１を通して見える光の照度が、紫外線ランプの照度を小さくしたときに低下し、紫外線ランプの照度を大きくしたときに増加するので、この違いを観察することにより、油入電気機器ｙの漏油発生を確認できる。
【００３５】
逆に、油入電気機器ｙから漏油が発生していない場合は、紫外線ランプの照度を変更しても、眼鏡１を通して観察する光の照度が変化しないので、この場合は、漏油の発生はないものと確認できる。
【００３６】
なお、照度の変更は、市販されている紫外線ランプに照度を数段階に変更可能なものが存在するのでそれを利用すれば良い。
【００３７】
つづいて、本発明の漏油確認方法の他の実施例について図５を用いて説明する。図５は本発明に使用する眼鏡の他の構成を示す外観斜視図である。図５に示す眼鏡４においても図３，図４で説明した光学フィルタ３を備えていることは図２の眼鏡１と同様であるが、図５に示す眼鏡４は、眼鏡４の裏側（顔に接する側）に光学フィルタ３の周囲を囲うように、遮光性のある例えば、ゴムやスポンジ等、弾性力があり密着性の良い外光遮断素材５が貼付されている。
【００３８】
これにより、眼鏡４をかけた作業者ｘの目には光学フィルタ３を通して漏油が発する蛍光と同波長の光のみが入ってくるので、漏油に基づく蛍光の有無が確認し易くなる。
【００３９】
図６にさらに他の実施例を示す。図６（ａ）は、光学フィルタ３に軸が横の偏光フィルタ６を取り付けた場合を示している。実際には、光学フィルタ３と偏光フィルタ６は接触するように重ねて眼鏡１のリム内に取り付けられる。
【００４０】
図６（ａ）に示す場合、光学フィルタ３を透過した光のうち、縦方向の偏光は偏光フィルタ６によって遮断されるので、作業者xの高さ方向から入射する太陽光や照明光と、作業者xの下方向から入射する太陽光や照明光の反射光は偏光フィルタ６を通過することはできない。
【００４１】
この結果、作業者xの視線の正面側から入射する蛍光をより確認しやすくなり、漏油発生の有無の観察が容易になる。
【００４２】
図６（ｂ）は、同図（ａ）に示す偏光フィルタ６に、さらにもう一枚の偏光フィルタ７を光学フィルタ３に重ねて、眼鏡１のリム内に取り付けたものである。さらに、偏光フィルタ７は中心軸周りに回転可能に取り付けられるものとする。
【００４３】
つまり、軸が横の偏光フィルタ６に対して、中心軸周りに回転することで軸の角度を可変できる偏光フィルタ７を備えることにより、あらゆる入射角度の光の通過を２枚の偏光フィルタ６，７を利用して遮断することが可能となる。
【００４４】
具体的には、作業者xは、偏光フィルタ７を手動で回転操作することにより、漏油が発する蛍光を一番確認しやすいように、光の通過を調節するのである。その結果、漏油発生の有無をより一層確認しやすくなる。
【００４５】
以上説明したように、本発明の漏油確認方法と漏油確認用眼鏡によれば、従来例で説明したような大掛かりな設備は一切必要なく、非常に安価に、かつ、迅速、容易に漏油の確認が行えるので、製造事業者による導入意欲を向上させることができる。
【００４６】
また、屋外等の明るい場所においても漏油の確認が行えることも非常に有利な点である。
【産業上の利用可能性】
【００４７】
本発明は、油の検出が必要なあらゆる状況において利用可能である。
【符号の説明】
【００４８】
１，４  光学フィルタ付眼鏡
２  フレーム
３  光学フィルタ
５  外光遮断素材
６，７  偏光フィルタ
ｘ  作業者
ｙ  油入電気機器
【図１】
2014167463.tif 000003
【図２】
2014167463.tif 000004
【図３】
2014167463.tif 000005
【図４】
2014167463.tif 000006
【図５】
2014167463.tif 000007
【図６】
2014167463.tif 000008